(57)【特許請求の範囲】
【請求項１】
上枠と、吊元側竪枠、戸先側竪枠とを備えた扉枠を壁開口に取り付け、扉枠の前記吊元側竪枠に、扉の吊元側部分を蝶番若しくはピボットヒンジを介して開閉自在に取り付けた扉装置において、上枠を面内変位可能に壁開口に取り付け、戸先側竪枠上端が突き合わされる上枠端部に結合ピースを一体に設け、その結合ピースを、戸先側竪枠の上部から竪枠内部に入り込ませ、その結合ピースを、戸先側竪枠の枠壁と挟み部材との間に結合ネジにより上方に移動可能に挟持して結合ネジの締め付け力により発生する所定の摩擦保持力で枠壁と挟み部材との間に保持させて成る扉枠の面内変形構造。
【請求項２】
結合ピースは上下方向の長孔を形成し、結合ネジは、その長孔を通って枠壁と挟み部材とを結合していることを特徴とする請求項１記載の扉枠の面内変形構造。
【請求項３】
挟み部材は戸先側竪枠に上下方向に一体であり、結合ピースは、上枠上側から打ち込まれる打ち込み締結金具で上枠と締結され、その打ち込み締結金具は、上枠の戸先側端面と竪枠とを接合させるように、結合ピースに対して打ち込まれることを特徴とする請求項１または２記載の扉枠の面内変形構造。
【請求項４】
結合ピースは、上枠の上壁上側に位置する引っ掛け部分と、引っ掛け部分に連続して上壁に設けた上下貫通孔を通って下方に伸びる結合部分とからなる略Ｌ字断面を成し、その結合部分は引っ掛け部分から竪枠の枠壁内面に斜めに向った後戸先側に第1の屈曲部で屈曲し、その後再度竪枠の枠壁内面に斜めに向って第２の屈曲部で屈曲する形状を成し、その第１の屈曲部の下方に上下の長孔を形成し、結合ネジによりこれらの長孔を介して竪枠の枠壁と挟み部材との間に結合部分を挟持すると、第１の屈曲部と枠壁内面の接触点を支点としてそれより上方部分が戸先側に倒れて上下貫通孔を介して上枠の戸先側端面を竪枠に押し付ける構造となっている請求項１または２記載の扉枠の面内変形構造。
【請求項５】
結合部分と竪枠の枠壁内面との間には、滑り材を介在して成る請求項４記載の扉枠の面内変形構造。
【発明の詳細な説明】
【０００１】
【発明の属する技術分野】
この発明は、扉枠の面内変形構造に関し、特に地震発生で躯体と共に扉枠が変形したときにも、扉を開くことができる前記構造に関する。
【０００２】
【従来の技術】
従来一般の扉装置では、図１１（ａ）に示すように、扉枠ａの内側に扉ｂが蝶着されており、扉上部（上縁）ｃと扉枠ａの上枠ｄの内側との間は、扉ｂの全幅に亘って、一定の（３〜５ｍｍ）上チリ寸法が設けてある。図１１（ｂ）のように、地震等により、戸先側から吊元側に向けて扉枠ａが変形した場合、扉ｂの戸先側上端が前記上チリ寸法だけ持ち上げられ、上枠ｄの内側に下方から突き当たる。
【０００３】
【発明が解決しようとする課題】
従来の扉枠、殊にスチール扉では、上枠ｄと吊元側、戸先側竪枠ｅ，ｆとは溶接結合で完全一体化されており、アンカー金具ｇにより壁開口ｈに一体に固定されている。そのため、上記のように扉ｂの戸先側上端が上枠ｄを下側から押上げた時には、戸先側上端が壁開口ｈに固定の上枠ｄに大きな力で押し付けられ、扉ｂを開くことができなくなり、避難経路が確保できない。
本願の課題は、地震により、扉枠が戸先側から吊元側へ向けて変形して扉の戸先側上端が扉枠の上枠を下から押上げた場合に、上枠を上方に逃がすようにして扉の戸先側上端が上枠に固く押し付けられることを防止して、扉を開くことができるようにするものである。
尚、特開平９−１３８３１号は、扉枠が内側につぶれたときに、その変形に対応して扉が内側につぶれるように、扉の上、下框、左右の竪框をそれぞれ２分割して、夫々の框において長手方向の内側に向けて摺動する構造としたものであるが、本願のように、扉枠が戸先側から吊元側へ向けて変形して扉の戸先側上端が扉枠の上枠を下から押上げた時を想定しているものではない。
【０００４】
【課題を解決するための手段】
上記課題解決のため、本願では、上枠と、吊元側竪枠、戸先側竪枠とを備えた扉枠を壁開口に取り付け、扉枠の前記吊元側竪枠に、扉の吊元側部分を蝶番若しくはピボットヒンジを介して開閉自在に取り付けた扉装置において、上枠を面内変位可能に壁開口に取り付け、戸先側竪枠上端が突き合わされる上枠端部に結合ピースを一体に設け、その結合ピースを、戸先側竪枠の上部から竪枠内部に入り込ませ、その結合ピースを、戸先側竪枠の枠壁と挟み部材との間に結合ネジにより上方に移動可能に挟持して結合ネジの締め付け力により発生する所定の摩擦保持力で枠壁と挟み部材との間に保持させて成る。具体的には、結合ピースは上下方向の長孔を形成し、結合ネジは、その長孔を通って枠壁と挟み部材とを結合している。
これによれば、扉枠が戸先側から吊元側へ向けて変形して扉の戸先側上端が扉枠の上枠を下から押上げ、その時の押し上げ力が結合ネジによる摩擦保持力を超えるような過大な押上力となると、結合ピースは上枠と共に上方に滑り移動し、戸先側竪枠上端と上枠とが分離する。その結果、扉の戸先側上端が上枠に固く押し付けられることがなくなり、扉を開くことができる。ここで、上記結合ネジによる結合ピースの摩擦保持力は、上枠と戸先側竪枠を結合ピース等を介して組み付けて扉枠を構成し、その扉枠を通常状態で運搬したり、使用したりしたときや、扉枠を壁開口に取りつける取り付け作業時においても、容易にすべりを起こさない程度の摩擦保持力となるように結合ネジが締め付けられる。
【０００５】
挟み部材は戸先側竪枠に上下方向に一体であり、結合ピースは、上枠上側から打ち込まれる打ち込み締結金具で上枠と締結され、その打ち込み締結金具は、上枠の戸先側端面と竪枠とを接合させるように、結合ピースに対して斜めに打ち込まれると好ましい。
または、結合ピースは、上枠の上壁上側に位置する引っ掛け部分と、引っ掛け部分に連続して上壁に設けた上下貫通孔を通って下方に伸びる結合部分とからなる略Ｌ字断面を成し、その結合部分は引っ掛け部分から竪枠の枠壁内面に斜めに向った後戸先側に第1の屈曲部で屈曲し、その後再度竪枠の枠壁内面に斜めに向って第２の屈曲部で屈曲する形状を成し、その第１の屈曲部の下方に上下の長孔を形成し、結合ネジによりこれらの長孔を介して竪枠の枠壁と挟み部材との間に結合部分を挟持すると、第１の屈曲部と枠壁内面の接触点を支点としてそれより上方部分が戸先側に倒れて上下貫通孔を介して上枠の戸先側端面を竪枠に押し付ける構造となっていてもよい。結合部分と竪枠の枠壁内面との間には、滑り材を介在してあってもよい。
これらの構造では、上枠の戸先側端面が戸先側竪枠の枠壁外面と密着するため、両者の結合がより堅固である。
【０００６】
【発明の実施の形態】
図１において、スチール製の扉枠１は、吊元側竪枠２、戸先側竪枠３、上枠４とを枠組みして構成されている。吊元側竪枠２の上端は上枠４の吊元側端に直交して接合され、一体に溶着されている。戸先側竪枠３の上端は、戸先側竪枠３に対して上枠４が上方に移動可能なように、上枠４の戸先側端部に直交して突き合わされている。
【０００７】
戸先側竪枠３と上枠４とを結合する結合構造５０において、図５に示すように、上枠４に一体固着される結合ピース５１とその結合ピース５１を案内溝５２に上下方向に摺動可能に案内する挟みピース（挟み部材）５３を含む。結合ピース５１には、上下方向の長孔５４が貫通形成してあると共に、上面から下方に向うに連れて挟みピース５３側に傾斜した結合用の下孔５５が形成されている。挟みピース５３は、結合ピース５１の幅方向一端の段部５６を案内する上記案内溝５２を有し、その案内溝５２と幅方向で反対側部分は、結合ピース５１の他方の段部５７の背面５８を押圧する押圧面５９となっている。挟みピース５３の背面には、幅方向に係合溝６０が形成してある。
【０００８】
これらのピース５１，５３は、以下のようにして戸先側竪枠３に取り付けられる。即ち、図２において、ピース５３を戸先側竪枠３の上端開口から戸先側竪枠３の見付方向の枠壁６１，６２間の内側空間に入れ込んで、係合溝６０を、竪枠３の見付方向外側の枠壁６２の一部をエンボス加工して形成した突起６３に嵌め込み、その状態で案内溝５２に結合ピース５１を沿わせて入れ込み、前記枠壁６１の内側から結合ネジ６４を前記長孔５４を通して挟みピース５３に捩じ込んで締め付ける。これにより、挟みピース５３が枠壁６１側に引き付けられてその押圧面５９と案内溝５２の端部５２ｃとにより結合ピース５１を枠壁６１背面に圧着させ、結合ピース５１を枠壁６１と挟みピース５３との間で挟持する。結合ピース５１の前面５１ａが枠壁６１に圧接するように、挟みピース５３の案内溝５２形成部分の前面５３ａは、締め付け状態で枠壁６１に圧接しないように結合ピース５１の前面５１ａより手前（見付け方向外方位置）に引っ込んでいる。
【０００９】
次に上枠４の上壁６５上側から打ち込み締結金具６６を前記下孔５５に打ち込み、上枠４と戸先側竪枠３とを結合ピース５１を介して一体結合する。打ち込み締結金具６６は、結合ピース５１の戸先側に向いて傾いた下孔５５に打ち込まれるため、その打ち込みにより上枠４が戸先方向に向って移動するから、上枠４の戸先側端面６７は戸先側竪枠３の枠壁６１の外面６８に確実に当て付けられる。
【００１０】
このように結合ピース５１を枠壁６１と挟みピース５３との間に挟持した状態では、前記押圧面５９とそれに対向する結合ピース部分５８との間、案内溝５２の端部５２ｃと結合ピース５１の対向する部分、及び、結合ピース５１の前面５１ａと枠壁６１との間には、前記結合ネジ６４による締め付け力と摩擦係数から定まる摩擦保持力が作用している。この摩擦保持力が、上枠４と戸先側竪枠３を結合ピース５１等を介して組み付けて扉枠１を構成し、その扉枠１を通常状態で運搬したり、使用したりしたときや、扉枠１を壁開口１０に取りつける取り付け作業時においても、容易にすべりを起こさない程度の摩擦保持力であって、その摩擦保持力を超える過大な上向き方向の力が上枠４に作用すると、その摩擦保持力に抗して結合ピース５１が戸先側竪枠３に対して上方に滑るように上記結合ネジ６４が締め付けられる。
【００１１】
この扉枠１は、壁開口１０に取り付けられる。この時、戸先側竪枠３は、従来同様に、竪枠３の取り付け片１１に溶着したアンカー金具１２と、そのアンカー金具１２に溶着した溶接鉄筋棒１３とにより、コンクリート壁１４と一体に取り付けられる。また、吊元側竪枠２も、上記同様にアンカー金具１２と溶接鉄筋棒１３とにより吊元側の壁１４に一体に取り付けられる。
【００１２】
一方、上枠４は、壁開口１０に対して面内変位できるように取り付け金具２０を介して壁開口１０に取り付けられる。取り付け金具２０は、図６にその一端部を示すように（逆側はこれと対称である）、上枠４の長手方向に対して短い幅を有し、見込み方向両側を面内変形方向（垂直方向）に直角に折り曲げて取り付け片２１とし、この取り付け片２１には、上下方向の長孔２２を形成してある。上枠４には、この取り付け片２１の見込み方向外側面に取り付けられる垂直片４ａが上枠４の全長に亘って設けてあり、上記取り付け片２１と対応する部分には、上枠４長手方向の長孔２３が形成されている。前記取り付け片２１の見込み方向外側面には板状のすべり部材２４が貼り付けられ、そのすべり部材２４を挟んで垂直片４ａの外側からリベット２５が、上記２つの長孔２２，２３を貫通して取り付け片２１の内側でかしめ付けてある。リベット２５によるかしめ付けの程度は、地震に際して、扉４０が上枠４を押上げるような変形によって過大な外力が作用したときに、上枠４が上方に滑ることができる程度となっている。上下方向の長孔２２と左右方向の長孔２３にリベット２５が挿通されているこの構造により、上方への移動と、それに伴う上枠４の長手方向の微少移動とにより、上枠４は扉枠１の面内で変位可能である。
【００１３】
図３に示すように、こうして壁開口１０に取り付けられた上枠４とコンクリート壁１４との間には、前記取り付け金具２０の取り付け片２１間にわたる見込み幅で上枠４の内側面（背面）と間に空間を持ってモルタル２６が充填され、そのモルタル２６と上枠４の内側面との間の空間には、上枠４が上方に押上げられたときに、上記取り付け金具２０による上方変位を許容するように、発泡ウレタンなどの変形容易な枠内充填材２７が介在してある。また、上枠４の垂直片４ａから見込み方向外側に水平に伸びる上側壁４ｂとコンクリート壁１４の前後面に取り付けられた仕上げ材２８の開口２９との間には、弾性変形容易なシーリング材３０が充填され、やはり、上枠４が上方に押上げられたときに、上記取り付け金具２０による上方変位を許容するようにしてある。開口２９の見込み方向内側には段部３１が設けられ、上枠４が上方に移動したとき、垂直壁４ａと干渉しないようにしてある。
【００１４】
コンクリート壁１４と吊元側竪枠２間は、コンクリート壁１４と一体のモルタル２６で充填されている。また、戸先側竪枠３において、結合構造５０部分を除いて吊元側竪枠２側と同じように、モルタル２６が充填されている。竪枠２，３と仕上げ材２８の開口２９との間にも、上枠４同様のシーリング材３０が施してある。扉４０はその吊元側部分が上下２個所（勿論、それ以上であってもよい）で蝶番４１により、吊元側竪枠２に開閉可能に連結してある。蝶番４１に代えて、周知のピボットヒンジで扉４０を蝶着してもよい。
【００１５】
このような構成によれば、変形のない図２の状態から、地震により戸先側から吊元側に向けて扉枠１が変形すると、その変形により扉４０の戸先側が上方に持ち上げられ、上枠４に下側から突き当たる。この押上げ力が、結合ピース５１と枠壁６１、挟みピース５３間の摩擦保持力を超えると結合ピース５１が上方に滑り移動し、扉４０の押し上げ力で上枠４が押上げられ、上枠４は、枠内充填材２７やシーリング材３０を圧縮しながらリベット２５が上下方向の長孔２２に沿って案内されて上方に移動してその戸先側端部が戸先側竪枠３の上端から上方に分離する（図７）。結合ピース５１が上方に移動しても、結合ピース５１は挟みピース５３の案内溝５２から外れないため、上枠４と戸先側竪枠３のその室内外の位相がずれることはない。このように扉４０の戸先側部分の押し上げによって上枠４の戸先側端部が上方に逃げる構造となっているので、扉戸先側上端が上枠４に固く押し付けられることが防止され、地震で扉枠１が変形しても、扉４０を開いて通路を確保できる。尚、上記実施形態では、壁構造がコンクリート壁１４による、いわゆる湿式壁の場合を説明したが、本願発明はこれに限らず、乾式壁の壁開口に扉装置を取り付ける場合でも適用できる。
【００１６】
次に図８〜１０において、別の結合構造８０を説明する。結合ピース８１は、上枠４の上壁６５上側に位置する引っ掛け部分８２と、引っ掛け部分８２に連続して上壁６５に設けた上下貫通孔８３を通って下方に伸びる結合部分８４とからなる略Ｌ字断面を成している。結合部分８４は引っ掛け部分８２から竪枠３の枠壁６１内面に斜めに向った後、戸先側に第1の屈曲部８５で屈曲し、その後、再度竪枠３の枠壁６１内面に斜めに向って第２の屈曲部８６で屈曲する形状を成している。その第２の屈曲部８６の上下に夫々上下の長孔５４が形成してある。
【００１７】
上枠４と戸先側竪枠３上端とを接合し、結合ピース８１を上記上下貫通孔８３を通し、結合ピース８１の結合部分８４の裏側に挟み板（挟み部材）８７を当て付け、また、枠壁６１との間にテフロン（登録商標）シートなどから成る滑り部材（滑り板）８８を介在させ、結合ネジ６４を前記各長孔５４を介して挟み板８７に螺合する。その締め付け力で、第２の屈曲部８６の上下部分が枠壁６１に引き付けられるに従い、第１の屈曲部８５と枠壁６１背面の接点Ｐを支点として、それより上方部分が戸先側に倒れて上下貫通孔８３を介して上枠４の戸先側端面６７を竪枠３に押し付け、結合ピース８１は、挟み板８７と枠壁６１との間に挟持され、結合ネジ６４の締め付け力に基づく摩擦保持力で保持される。この摩擦保持力は、前述の実施形態と同様に、扉枠の建物への施工や、扉装置の通常の使用などでは滑りを生じないような大きさであることはいうまでもない。
地震の際、扉によって上枠４の戸先側が上方に押上げられ、その押し上げ力が結合ピース８１の摩擦保持力を超える過大なものとなると、引っ掛け部分にその荷重が作用して結合部分８４が上方にスライドし、上枠４が上方に移動する。従って、扉と上枠４が固く押し合うことが防止され、地震時にも扉を開いて避難できる。
【００１８】
【発明の効果】
以上のように本発明によれば、扉枠が戸先側から吊元側へ向けて変形して扉の戸先側上端が扉枠の上枠を下から押上げた時に、上枠側の結合ピースが上方にスライドして上枠を上方に逃がすようにしたので、扉の戸先側上端が上枠に固く押し付けられて扉を開くことができなくなるような状態を緩和する事ができ、避難経路を確保しやすくできる。
【図面の簡単な説明】
【図１】本願発明に係る扉装置の正面図であり、シーリング材は省略してある。
【図２】扉枠の戸先部分正面拡大図であり、一部破断してある。
【図３】図２のＩＩＩ−ＩＩＩ線断面図である。
【図４】図３のＩＶ視図である。
【図５】結合ピースと挟みピースの斜視図である。
【図６】上枠と取り付け金具の分解斜視図である。
【図７】扉枠変形時の戸先部分拡大正面図である。
【図８】他の実施形態である。
【図９】図９のＩＸ−ＩＸ断面図であり、結合ピース締結前の状態を示す。
【図１０】図９のＩＸ−ＩＸ断面図であり、結合ピース締結後の状態を示す。
【図１１】扉枠の変形を示す図である。
【符号の説明】
１  扉枠
２  吊元側竪枠
３  戸先側竪枠
４  上枠
１０  壁開口
４０  扉
４１  蝶番
５１・８１  結合ピース
５３  挟みピース（挟み部材）
５４  上下方向の長孔
６１  竪枠の枠壁
６４  結合ネジ
６５  上枠上壁
６６  打ち込み締結金具
６７  上枠の戸先側端面
８２  引っ掛け部分
８３  上下貫通孔
８４  結合部分
８５  第1の屈曲部
８６  第２の屈曲部
８７  挟み板（挟み部材）
８８  滑り材
Ｐ  接点
【図１】
0003760992.tif 000002
【図２】
0003760992.tif 000003
【図３】
0003760992.tif 000004
【図４】
0003760992.tif 000005
【図５】
0003760992.tif 000006
【図６】
0003760992.tif 000007
【図７】
0003760992.tif 000008
【図８】
0003760992.tif 000009
【図９】
0003760992.tif 000010
【図１０】
0003760992.tif 000011
【図１１】
0003760992.tif 000012